(57)【要約】【課題】初期化放電を安定化させることによって、良好な品質で画像表示させることができるプラズマディスプレイパネルの駆動方法を提供する。【解決手段】データ電極Ｄ１〜Ｄｍが陰極となる初期化放電を発生させる初期化期間を有するサブフィールドにおいて、データ電極Ｄ１〜Ｄｍが陰極となる初期化放電を発生させる前に少なくとも走査電極ＳＣ１〜ＳＣｎと維持電極ＳＵ１〜ＳＵｎとの間、または走査電極ＳＣ１〜ＳＣｎとデータ電極Ｄ１〜Ｄｍとの間で走査電極ＳＣ１〜ＳＣｎが陰極となるプライミング放電を発生させる。【選択図】図４
2006003397.tif 000002
【特許請求の範囲】
【請求項１】
走査電極および維持電極とデータ電極との交差部に放電セルを形成してなるプラズマディスプレイパネルの駆動方法であって、
１フィールド期間が初期化期間、書込み期間および維持期間を有する複数のサブフィールドから構成され、
前記データ電極が陰極となる初期化放電を発生させる初期化期間を有するサブフィールドにおいて、前記データ電極が陰極となる初期化放電を発生させる前に少なくとも前記走査電極と前記維持電極との間、または前記走査電極と前記データ電極との間で前記走査電極が陰極となるプライミング放電を発生させることを特徴とするプラズマディスプレイパネルの駆動方法。
【請求項２】
前記走査電極に下り傾斜波形電圧を印加することにより、前記走査電極が陰極となるプライミング放電を発生させることを特徴とする請求項１に記載のプラズマディスプレイパネルの駆動方法。
【請求項３】
前記データ電極に正のパルス波形を印加することにより、前記走査電極が陰極となるプライミング放電を発生させることを特徴とする請求項１または請求項２に記載のプラズマディスプレイパネルの駆動方法。
【発明の詳細な説明】
【技術分野】
【０００１】
本発明は、プラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。また、サブフィールド法の中でも、階調表示に関係しない発光を極力減らして黒輝度の上昇を抑え、コントラスト比を向上した新規な駆動方法が特許文献１に開示されている。
【０００４】
上記駆動方法において、各サブフィールドはそれぞれ初期化期間、書込み期間および維持期間を有し、初期化期間には、画像表示を行うすべての放電セルに対して初期化放電を行わせる全セル初期化動作、または直前のサブフィールドにおいて維持放電を行った放電セルに対して選択的に初期化放電を行わせる選択初期化動作のいずれかの動作を行う。そして、１フィールドを構成する複数のサブフィールドのうち、全セル初期化動作を行う初期化期間を有するサブフィールドの数を減らすことにより、画像表示に関係のない発光を抑えることができ、コントラストの高い画像表示が可能となる。
【０００５】
全セル初期化動作を行う初期化期間では、すべての放電セルで一斉に初期化放電を行い、それ以前の個々の放電セルに対する壁電荷の履歴を消すとともに、つづく書込み動作のために必要な壁電荷を形成する。加えて、放電遅れを小さくし書込み放電を安定して発生させるためのプライミング（放電のための起爆剤＝励起粒子）を発生させるという働きをもつ。つづく書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。そして維持期間では、走査電極と維持電極との間に輝度重みに応じた所定の回数の維持パルスを印加し、書込み放電による壁電荷形成を行った放電セルを選択的に放電させ発光させる。
【０００６】
このように、画像を正しく表示するためには書込み期間における選択的な書込み放電を確実に行うことが重要であるが、そのためには書込み動作のための準備となる初期化動作を確実に行うことが重要となる。
【特許文献１】特開２０００−２４２２２４号公報
【発明の開示】
【発明が解決しようとする課題】
【０００７】
全セル初期化期間においては、走査電極を陽極とし維持電極およびデータ電極を陰極とする初期化放電を発生させる必要があるが、データ電極側には２次電子放出係数の小さい蛍光体が塗布されているため、データ電極を陰極とする初期化放電の放電遅れが大きくなり、初期化放電が不安定になることがあった。
【０００８】
また、近年、パネルに封入されている放電ガスのキセノン分圧を増加させてパネルの発光効率を向上させる検討がなされているが、キセノン分圧を増加させると放電、特に全セル初期化の放電が不安定になり、つづく書込み期間に書込み不良を生じるおそれがある等、また書込み動作の駆動電圧マージンが狭くなるという課題があった。
【０００９】
本発明は、これらの課題に鑑みなされたものであり、初期化放電を安定化させることによって、良好な品質で画像表示させることができるパネルの駆動方法を提供することを目的とする。
【課題を解決するための手段】
【００１０】
本発明のプラズマディスプレイパネルの駆動方法は、走査電極および維持電極とデータ電極との交差部に放電セルを形成してなるプラズマディスプレイパネルの駆動方法であって、１フィールド期間が初期化期間、書込み期間および維持期間を有する複数のサブフィールドから構成され、データ電極が陰極となる初期化放電を発生させる初期化期間を有するサブフィールドにおいて、データ電極が陰極となる初期化放電を発生させる前に少なくとも走査電極と維持電極との間、または走査電極とデータ電極との間で走査電極が陰極となるプライミング放電を発生させることを特徴とする。この方法によって、初期化放電を安定化させることによって、良好な品質で画像表示させることができるプラズマディスプレイパネルの駆動方法を提供することができる。
【００１１】
また、本発明のプラズマディスプレイパネルの駆動方法は、走査電極に下り傾斜波形電圧を印加することにより、走査電極が陰極となるプライミング放電を発生させてもよい。この方法により、全セル初期化期間における発光輝度を抑えたままプライミング放電を発生させることができる。
【００１２】
また、本発明のプラズマディスプレイパネルの駆動方法は、データ電極に正のパルス波形を印加することにより、走査電極が陰極となるプライミング放電を発生させてもよい。この方法により、走査電極とデータ電極との間で確実に走査電極が陰極となるプライミング放電を発生させることができる。
【発明の効果】
【００１３】
本発明によれば、初期化放電を安定化させることによって、良好な品質で画像表示させることができるプラズマディスプレイパネルの駆動方法を提供することができる。
【発明を実施するための最良の形態】
【００１４】
以下、本発明の一実施の形態におけるパネルの駆動方法について、図面を用いて説明する。
【００１５】
（実施の形態）
図１は本発明の実施の形態に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。保護層７としては安定した放電を発生させるために２次電子放出係数が大きくかつ耐スパッタ性の高い材料が望ましく、本発明の実施の形態においてはＭｇＯ薄膜が用いられている。背面基板３上には絶縁体層８で覆われた複数のデータ電極９が付設され、データ電極９の間の絶縁体層８上にデータ電極９と平行して隔壁１０が設けられている。また、絶縁体層８の表面および隔壁１０の側面に蛍光体層１１が設けられている。そして、走査電極４および維持電極５とデータ電極９とが交差する方向に前面基板２と背面基板３とを対向配置しており、その間に形成される放電空間には、放電ガスとして、たとえばネオンとキセノンの混合ガスが封入されている。本発明の実施の形態においてはパネルの発光効率を向上させるために、パネルに封入されている放電ガスのキセノン分圧を１０％に増加させている。
【００１６】
図２は本発明の実施の形態に用いるパネルの電極配列図である。行方向にｎ本の走査電極ＳＣ１〜ＳＣｎ（図１の走査電極４）およびｎ本の維持電極ＳＵ１〜ＳＵｎ（図１の維持電極５）が交互に配列され、列方向にｍ本のデータ電極Ｄ１〜Ｄｍ（図１のデータ電極９）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルＣｉ，ｊが形成され、放電セルＣｉ，ｊは放電空間内にｍ×ｎ個形成されている。
【００１７】
図３は本発明の実施の形態におけるパネルの駆動方法を使用するプラズマディスプレイ装置の回路ブロック図である。このプラズマディスプレイ装置は、パネル１、データ電極駆動回路１２、走査電極駆動回路１３、維持電極駆動回路１４、タイミング発生回路１５、ＡＤ（アナログ・デジタル）変換器１８、走査数変換部１９、サブフィールド変換部２０および電源回路（図示せず）を備えている。
【００１８】
図３において、画像信号ｓｉｇはＡＤ変換器１８に入力される。また、水平同期信号Ｈおよび垂直同期信号Ｖはタイミング発生回路１５、ＡＤ変換器１８、走査数変換部１９、サブフィールド変換部２０に入力される。ＡＤ変換器１８は、画像信号ｓｉｇをデジタル信号の画像データに変換し、その画像データを走査数変換部１９に出力する。走査数変換部１９は、画像データをパネル１の画素数に応じた画像データに変換し、サブフィールド変換部２０に出力する。サブフィールド変換部２０は、各画素の画像データを複数のサブフィールドに対応する複数のビットに分割し、サブフィールド毎の画像データをデータ電極駆動回路１２に出力する。データ電極駆動回路１２は、サブフィールド毎の画像データを各データ電極Ｄ１〜Ｄｍに対応する信号に変換し各データ電極Ｄ１〜Ｄｍを駆動する。
【００１９】
タイミング発生回路１５は、水平同期信号Ｈおよび垂直同期信号Ｖをもとにしてタイミング信号を発生し、各々走査電極駆動回路１３および維持電極駆動回路１４に出力する。走査電極駆動回路１３は、タイミング信号に基づいて走査電極ＳＣ１〜ＳＣｎに駆動波形を供給し、維持電極駆動回路１４は、タイミング信号に基づいて維持電極ＳＵ１〜ＳＵｎに駆動波形を供給する。
【００２０】
次に、パネルを駆動するための駆動波形とその動作について説明する。本発明の実施の形態においては、１フィールドを１０のサブフィールド（第１ＳＦ、第２ＳＦ、・・・、第１０ＳＦ）に分割し、各サブフィールドはそれぞれ（１、２、３、６、１１、１８、３０、４４、６０、８０）の輝度重みをもつものとする。このように、後ろのサブフィールドほど輝度重みが大きくなるように構成している。
【００２１】
図４は本発明の実施の形態に用いるパネルの各電極に印加する駆動波形図であり、全セル初期化動作を行う初期化期間を有するサブフィールド（以下、「全セル初期化サブフィールド」と略記する）と選択初期化動作を行う初期化期間を有するサブフィールド（以下、「選択初期化サブフィールド」と略記する）に対する駆動波形図である。図４は説明のため第１ＳＦを全セル初期化サブフィールド、第２ＳＦを選択初期化サブフィールドとして示している。
【００２２】
まず、全セル初期化サブフィールドの駆動波形とその動作について説明する。全セル初期化期間を便宜上３つに分けてプライミング部、前半部、後半部と呼ぶことにする。
【００２３】
第１ＳＦの初期化期間プライミング部では、データ電極Ｄ１〜Ｄｍには正の電圧Ｖｘを印加し、維持電極ＳＵ１〜ＳＵｎには正のパルス波形電圧Ｖｐを印加し、走査電極ＳＣ１〜ＳＣｎにはデータ電極Ｄ１〜Ｄｍおよび維持電極ＳＵ１〜ＳＵｎに対して放電開始電圧を超えない電圧Ｖｉ５から放電開始電圧を超える電圧Ｖｉ６に向かって緩やかに下降する傾斜波形電圧を印加する。この傾斜波形電圧が下降する間に走査電極ＳＣ１〜ＳＣｎとデータ電極Ｄ１〜Ｄｍおよび維持電極ＳＵ１〜ＳＵｎとの間で弱いプライミング放電が起こり、各放電セルＣｉ，ｊ内部にプライミングを拡散させるとともに、走査電極ＳＣ１〜ＳＣｎ上部には正の壁電圧、データ電極Ｄ１〜Ｄｍおよび維持電極ＳＵ１〜ＳＵｎ上部には負の壁電圧が蓄積される。ここで、電極上部の壁電圧とは電極を覆う誘電体、保護層あるいは蛍光体層上に蓄積された壁電荷により生じる電圧をあらわす。
【００２４】
初期化期間前半部では、データ電極Ｄ１〜Ｄｍ、維持電極ＳＵ１〜ＳＵｎをそれぞれ０（Ｖ）に保持し、走査電極ＳＣ１〜ＳＣｎには電圧Ｖｉ１から、維持電極ＳＵ１〜ＳＵｎおよびデータ電極Ｄ１〜Ｄｍに対して放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。このときの放電は十分なプライミングがすでに供給された状態で発生するために誤放電のない安定した放電となる。特に本発明の実施の形態におけるパネルのように封入されている放電ガスのキセノン分圧が高い場合においては、蛍光体が塗布されたデータ電極を陰極とする初期化放電を安定して発生させるためにプライミングの存在が欠かせない。
【００２５】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎおよびデータ電極Ｄ１〜Ｄｍに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により画像表示にかかわる全放電セルを初期化放電させる全セル初期化動作が終了する。
【００２６】
書込み期間では、走査電極ＳＣ１〜ＳＣｎを一旦Ｖｃに保持する。次に、１行目の走査電極ＳＣ１に走査パルス電圧Ｖａを印加する。このとき、データ電極Ｄ１〜Ｄｍのうち１行目に表示すべき画像信号に対応するデータ電極Ｄｋ（ｋは１〜ｍの整数をあらわす）に正の書込みパルス電圧Ｖｄを印加する。すると、書込みパルス電圧Ｖｄを印加したデータ電極Ｄｋと走査電極ＳＣ１との交差部で放電が発生し、対応する放電セルＣ１，ｋの維持電極ＳＵ１と走査電極ＳＣ１との間の放電に進展する。そして、放電セルＣ１，ｋの走査電極ＳＣ１上部に正電圧が蓄積され、維持電極ＳＵ１上部に負電圧が蓄積され、１行目の書込み動作が終了する。
【００２７】
次に、２行目の走査電極ＳＣ２に走査パルス電圧Ｖａを印加する。このとき同時に、データ電極Ｄ１〜Ｄｍのうち２行目に表示すべき画像信号に対応するデータ電極Ｄｋに正の書込みパルス電圧Ｖｄを印加する。すると、データ電極Ｄｋと走査電極ＳＣ２との交差部で放電が発生し、対応する放電セルＣ２，ｋの維持電極ＳＵ２と走査電極ＳＣ２との間の放電に進展する。そして、放電セルＣ２，ｋの走査電極ＳＣ２上部に正電圧が蓄積され、維持電極ＳＵ２上部に負電圧が蓄積され、２行目の書込み動作が終了する。
【００２８】
以下同様の書込み動作をｎ行目の放電セルＣｎ，ｋに至るまで行い、書込み動作が終了する。
【００２９】
維持期間においては、走査電極ＳＣ１〜ＳＣｎおよび維持電極ＳＵ１〜ＳＵｎを０（Ｖ）に一旦戻す。その後、走査電極ＳＣ１〜ＳＣｎに正の維持パルス電圧Ｖｓを印加する。このとき、書込み放電を起こした放電セルＣｉ，ｊにおける走査電極ＳＣｉ上部と維持電極ＳＵｉ上部との間の電圧は、維持パルス電圧Ｖｓに加えて、書込み期間において走査電極ＳＣｉ上部および維持電極ＳＵｉ上部に蓄積された壁電圧が加算されるので放電開始電圧を超え維持放電が発生する。以降同様に、走査電極ＳＣ１〜ＳＣｎと維持電極ＳＵ１〜ＳＵｎとに維持パルスを交互に印加することにより、書込み放電を発生した放電セルＣｉ，ｊに対して維持パルスの回数だけ維持放電が継続して行われる。
【００３０】
第２ＳＦの初期化期間では、維持電極ＳＵ１〜ＳＵｎを正電圧Ｖｅに保ち、走査電極ＳＣ１〜ＳＣｎには、電圧Ｖｉ４に向かって緩やかに下降する傾斜波形電圧を印加する。この間に、維持放電を発生した放電セルＣｉ，ｊに対して選択的に走査電極ＳＣｉと維持電極ＳＵｉ、走査電極ＳＣｉとデータ電極Ｄｊとの間でそれぞれ微弱な初期化放電が起こる。そして、走査電極ＳＣｉ上部の負の壁電圧および維持電極ＳＵｉ上部の正の壁電圧が弱められ、データ電極Ｄｊ上部の正の壁電圧は書込み動作に適した値に調整される。以上により選択初期化動作が終了する。
【００３１】
つづく書込み期間、維持期間の動作は第１ＳＦにおける書込み期間、維持期間の動作と同様であり、第３ＳＦ以降の動作は第２ＳＦの動作と同様であるため説明を省略する。
【００３２】
上述のように本発明の駆動方法における全セル初期化放電は、データ電極が陰極となる初期化放電を発生させる前に走査電極と維持電極との間、走査電極とデータ電極との間で走査電極が陰極となるプライミング放電を発生させている。また、プライミング放電を発生させるために、走査電極に下り傾斜波形電圧を印加している。これは、全セル初期化期間における発光輝度を抑えたままプライミング放電を発生させるためである。またデータ電極に正のパルス電圧を印加しているが、これは走査電極とデータ電極との間で確実に走査電極が陰極となるプライミング放電を発生させるためである。そしてこれらの駆動方法により、封入されている放電ガスのキセノン分圧が高いパネルにおいても安定した初期化放電が可能となる。
【００３３】
ここで、初期化放電が安定する理由を説明するために、データ電極に注目して、再度、上述の動作について説明する。
【００３４】
まず、初期化期間プライミング部では、走査電極ＳＣ１〜ＳＣｎとデータ電極Ｄ１〜Ｄｍおよび維持電極ＳＵ１〜ＳＵｎとの間で弱いプライミング放電が発生し、各放電セルＣｉ，ｊ内部にプライミングを拡散させる。このときの放電は走査電極側が陰極であり、走査電極側には２次電子放出係数の大きいＭｇＯ薄膜からなる保護層に覆われているため放電遅れは比較的小さく、安定した放電となる。
【００３５】
つづく初期化期間前半部では、走査電極ＳＣ１〜ＳＣｎに印加される傾斜波形電圧によって、走査電極ＳＣ１〜ＳＣｎと維持電極ＳＵ１〜ＳＵｎ、走査電極ＳＣ１〜ＳＣｎとデータ電極Ｄ１〜Ｄｍとの間で微弱な放電が発生する。このとき走査電極ＳＣ１〜ＳＣｎとデータ電極Ｄ１〜Ｄｍとの間の放電はデータ電極側、すなわち蛍光体側が陰極となり、蛍光体の２次電子放出係数が小さいためプライミングが不足すると放電遅れが大きくなる傾向がある。特にキセノン分圧の高いパネルを駆動する場合には放電遅れがさらに大きくなり、走査電極ＳＣ１〜ＳＣｎに印加された上り傾斜波形電圧が放電開始電圧を超えても放電が発生せず、放電開始電圧を大きく超えた時点で放電が発生する。このときの放電は微弱な放電とはならず大きな電荷移動を伴う強い放電となってしまい、つづく書込み期間あるいは維持期間において誤放電を発生することになる。また、放電開始電圧を超えても放電が発生していない状態は非常に不安定であり、近隣セルや他の電極間の放電等による制御不可能な僅かなプライミングの飛来によって干渉を受け、強放電を誘発する場合がある。
【００３６】
しかしながら、本実施の形態のパネルの駆動方法によれば、初期化期間プライミング部において走査電極ＳＣ１〜ＳＣｎとデータ電極Ｄ１〜Ｄｍおよび維持電極ＳＵ１〜ＳＵｎとの間のプライミング放電に伴うプライミングが各放電セルＣｉ，ｊにすでに供給されているので、封入されている放電ガスのキセノン分圧が高いパネルであっても、初期化期間前半部における走査電極ＳＣ１〜ＳＣｎとデータ電極Ｄ１〜Ｄｍとの間の放電は放電遅れの小さな安定した放電となり、必要な壁電荷を安定して形成することができる。
【００３７】
このように、一般に放電遅れが大きく、放電が不安定になりがちなデータ電極Ｄ１〜Ｄｍの初期化放電、特に蛍光体側が陰極となる初期化放電に先行してプライミング放電を発生させることにより、走査電極ＳＣ１〜ＳＣｎとデータ電極Ｄ１〜Ｄｍとの間に十分なプライミングを供給することができ、データ電極の初期化放電の放電遅れを小さくし放電を安定化させることができる。そのため、つづく初期化期間後半部における壁電荷の調整も安定し、さらに安定した書込み動作、維持動作につながり、誤放電のない良好な画像表示が可能となる。
【００３８】
なお、本発明の実施の形態においては、走査電極と維持電極との間、走査電極とデータ電極との間の両方で走査電極が陰極となるプライミング放電を発生させている。しかし、プライミング放電は、走査電極と維持電極との間または走査電極とデータ電極との間で発生させればよく、そのためには全セル初期化期間のプライミング部において、少なくとも走査電極に下り傾斜波形電圧を印加すればよい。
【００３９】
また、本発明の実施の形態においては、初期化期間プライミング部において維持電極に印加する正の電圧Ｖｐについて特に言及しなかったが、初期化期間後半部において維持電極に印加する正の電圧Ｖｅよりも電圧Ｖｐを高く設定することによりプライミング放電を強めることができ、大きなプライミングを得ることができる。
【００４０】
また、データ電極に印加する正のパルス電圧Ｖｘは書込みパルス電圧Ｖｗと同じ値としてもよく、この場合回路構成を簡略化することができる。
【００４１】
また、ＡＣ型パネルの各電極は誘電体に囲まれており放電空間と絶縁されているため、直流成分は放電そのものには何ら寄与しない。したがって、本発明の実施の形態で説明した駆動波形に直流成分を加えた波形を用いても同様の効果が得られることはいうまでもない。
【００４２】
さらに、本実施の形態においては、第１ＳＦが全セル初期化サブフィールド、第２ＳＦ以降は選択初期化サブフィールドとして説明したが、本発明はサブフィールド構成に制約されるものではなく、全セル初期化サブフィールドと選択初期化サブフィールドを任意に組み合わせたサブフィールド構成であっても同様に適用することができる。
【産業上の利用可能性】
【００４３】
本発明のパネルの駆動方法は、初期化放電を安定化させることによって良好な品質で画像表示させることができるので、プラズマディスプレイパネルの駆動方法として有用である。
【図面の簡単な説明】
【００４４】
【図１】本発明の実施の形態に用いるパネルの要部を示す斜視図
【図２】本発明の実施の形態に用いるパネルの電極配列図
【図３】本発明の実施の形態におけるパネルの駆動方法を使用するプラズマディスプレイ装置の回路ブロック図
【図４】本発明の実施の形態に用いるパネルの各電極に印加する駆動波形図
【符号の説明】
【００４５】
１    パネル
２    前面基板
３    背面基板
４    走査電極
５    維持電極
９    データ電極
１２    データ電極駆動回路
１３    走査電極駆動回路
１４    維持電極駆動回路
１５    タイミング発生回路
【図１】
2006003397.tif 000003
【図２】
2006003397.tif 000004
【図３】
2006003397.tif 000005
【図４】
2006003397.tif 000006